(57)【要約】【課題】耐震性の向上をより少ない作業量により達成することができる。【解決手段】システム天井用クリップ５１は、吊持手段により吊り下げられ並設される天井枠材２Ａの端部に対してシステム天井用クリップ５１を固定する固定部５０２と、並設される天井枠材２Ａの対向する端部同士を繋ぐ仮想線に沿って固定部５０２から延び、架設された天井板３の側縁を受けて天井板３の動きを規制する規制部５０１と、を備え、規制部５０１の長さは、少なくとも一対の天井枠材２Ａの間隔の半分の長さよりも短い。規制部５０１が天井板３の動きを規制するため、振動等によって天井枠材２Ａの間の架設位置から壁側に対して天井板３が移動することを抑制し、耐震性を向上させることができる。また、システム天井用クリップ５１を天井枠材２Ａの端部に容易に取り付けることができ、より少ない作業量によって耐震性の向上を達成することができる。【選択図】図２
2010133196.tif 000002
【特許請求の範囲】
【請求項１】
天井スラブからの吊持手段により吊下げられ離間して並設される一対の天井枠材と、前記一対の天井枠材の間に架設される天井板と、を備えるシステム天井に用いられ、前記一対の天井枠材各々の端部に取り付けられて、前記天井枠材の長手方向における前記天井板の動きを規制するシステム天井用クリップにおいて、
前記天井枠材の端部に固定される固定部と、
並設される前記天井枠材の対向する端部同士を繋ぐ仮想線に沿って前記固定部から延びており、架設された前記天井板の側縁を受けて前記天井板の動きを規制する規制部と、を備え、
前記規制部の長さは、少なくとも前記一対の天井枠材の間隔の半分の長さよりも短いことを特徴とするシステム天井用クリップ。
【請求項２】
前記固定部は、
前記天井枠材の長手方向に沿って延びる板状部と、
前記板状部に設けられたカシメ部と、を備え、
前記カシメ部が天井枠材に対して圧接されることにより、前記天井枠材に対して前記板状部がカシメ固定されることを特徴とする請求項１記載のシステム天井用クリップ。
【請求項３】
前記固定部は、
前記天井枠材の長手方向に沿って延びる板状部と、
前記板状部に設けられた貫通孔と、を備え、
前記貫通孔に挿入したネジが巻き締められることにより、前記天井枠材に対して前記板状部がネジ止め固定されることを特徴とする請求項１記載のシステム天井用クリップ。  
【請求項４】
前記固定部は、
前記天井枠材の長手方向に沿って延びる板状部と、
前記板状部に設けられたビス孔と、を備え、
前記ビス孔に挿入したビスにより、前記天井枠材に対して前記板状部がビス止め固定されることを特徴とする請求項１記載のシステム天井用クリップ。
【請求項５】
天井スラブからの吊持手段と、
前記吊持手段により吊下げられ離間して並設される一対の天井枠材と、
前記一対の天井枠材の間に架設される天井板と、
前記一対の天井枠材各々の端部に取り付けられる請求項１〜４のいずれか一項に記載のシステム天井用クリップと、
を備えることを特徴とするシステム天井。
【発明の詳細な説明】
【技術分野】
【０００１】
本発明は、システム天井用クリップ及びこのシステム天井用クリップが設けられたシステム天井に関する。
【背景技術】
【０００２】
オフィスビル等の建築物においてシステム天井が多く使われている。このシステム天井は、建築物の天井面から吊り金具を介して格子状に組んだ枠材を吊り下げ、この格子の開口部に天井板を配することにより天井面を構成するものである。
【０００３】
しかしながら、システム天井は、建築物の天井面から吊り下げられる構造であるため、地震等の振動の影響を受けやすく、システム天井が地震等により大きく振動した場合には、建築物の壁面への衝突や天井材の破損、枠材の破損等の発生が懸念される。このため、近年では、システム天井の耐震性を向上させるための種々の検討がなされている。例えば、特許文献１には、システム天井の周端部と壁面とが所定の距離をあけて配置される構成が示されている。また、特許文献２には、周端部と壁面との間に緩衝材を設ける構成が示されている。
【特許文献１】特開２００５−３２５６４１号公報
【特許文献２】特開２００６−３２２３１８号公報
【発明の開示】
【発明が解決しようとする課題】
【０００４】
しかしながら、特許文献１記載の構成のようにシステム天井の周端部と壁面とを所定の距離をあけて配置する場合には、システム天井の周端部に配置された天井板が外れないように天井見切りを設ける必要がある。また、この周端部と壁面との間から建築物の天井面に対して光や音が漏れるため、隣室や階上に音が伝わりやすくなると共に外観が悪くなるという問題が発生することから、システム天井の周端部と壁面との間に目隠し材を設ける必要がある。このように、特許文献１記載の構成を採用した場合には、天井見切りを設けると共に目隠し材を配置するための手間と材料が必要となる。
【０００５】
また、特許文献２記載の構成のように、周端部と壁面との間に緩衝材を設けた場合には、振動の大きさによっては緩衝材によって振動を低減させることができず、システム天井が壁面に衝突する可能性がある。
【０００６】
本発明は上記を鑑みてなされたものであり、耐震性の向上をより少ない材料を用いて達成することができるシステム天井用クリップと、このシステム天井用クリップが設けられたシステム天井を提供することを目的とする。
【課題を解決するための手段】
【０００７】
上記目的を達成するため、本発明に係るシステム天井用クリップは、天井スラブからの吊持手段により吊下げられ離間して並設される一対の天井枠材と、前記一対の天井枠材の間に架設される天井板と、を備えるシステム天井に用いられ、前記一対の天井枠材各々の端部に取り付けられて、前記天井枠材の長手方向における前記天井板の動きを規制するシステム天井用クリップにおいて、前記天井枠材の端部に固定される固定部と、並設される前記天井枠材の対向する端部同士を繋ぐ仮想線に沿って前記固定部から延びており、架設された前記天井板の側縁を受けて前記天井板の動きを規制する規制部と、を備え、前記規制部の長さは、少なくとも前記一対の天井枠材の間隔の半分の長さよりも短いことを特徴とする。
【０００８】
上記の構成によれば、固定部から延びる規制部が、天井枠材の間に架設された天井板の側縁を受けるため、振動等により天井枠材の長手方向に天井板が移動することを抑制することができ、耐震性を向上させることができる。そして、上記の構成によれば、天井枠材及び天井板の周囲を天井見切り等で覆う場合と比較して、より少ない材料で耐震性を向上することができる。さらに、システム天井用クリップを天井枠材の各々の端部に容易に取り付けることができ、より少ない作業量によって耐震性の向上を達成することができる。
【０００９】
ここで、上記の作用をより効果的に奏する構成として、具体的には、前記固定部は、前記天井枠材の長手方向に沿って延びる板状部と、前記板状部に設けられたカシメ部と、を備え、前記カシメ部が天井枠材に対して圧接されることにより、前記天井枠材に対して前記板状部がカシメ固定される態様が挙げられる。
【００１０】
また、上記の作用をより効果的に奏する他の構成として、具体的には、前記固定部は、前記天井枠材の長手方向に沿って延びる板状部と、前記板状部に設けられた貫通孔と、を備え、前記貫通孔に挿入したネジが巻き締められることにより、前記天井枠材に対して前記板状部がネジ止め固定される態様が挙げられる。
【００１１】
また、上記の作用をより効果的に奏する他の構成として、具体的には、前記固定部は、前記天井枠材の長手方向に沿って延びる板状部と、前記板状部に設けられたビス孔と、を備え、前記ビス孔に挿入したビスにより、前記天井枠材に対して前記板状部がビス止め固定される態様が挙げられる。
【００１２】
また、本発明は、上記のシステム天井用クリップを備えるシステム天井の発明としても記述することができる。すなわち、本発明に係るシステム天井は、天井スラブからの吊持手段と、前記吊持手段により吊下げられ離間して並設される一対の天井枠材と、前記一対の天井枠材の間に架設される天井板と、前記一対の天井枠材各々の端部に取り付けられる上記のシステム天井用クリップと、を備えることを特徴とする。
【発明の効果】
【００１３】
本発明によれば、耐震性の向上をより少ない材料を用いて達成することができるシステム天井用クリップと、このシステム天井用クリップが設けられたシステム天井とが提供される。
【発明を実施するための最良の形態】
【００１４】
以下、添付図面を参照して、本発明を実施するための最良の形態を詳細に説明する。なお、図面の説明において同一または同様の要素には同一の符号を付し、重複する説明を省略する。
【００１５】
図１は、本発明の好適な実施形態に係るシステム天井の一部を示す概略斜視図、図２はそのシステム天井に設けられるシステム天井用クリップの概略斜視図、図３及び図４は、システム天井と壁部との位置を説明する概略断面図である。
【００１６】
本実施形態に係るシステム天井１は、いわゆるグリッドシステム天井であり、格子状に組まれた天井枠材２と、天井枠材２によって組まれた格子の開口部を閉じるように天井枠材２間に架設された天井板３と、この天井板３が架設された天井枠材２を吊り下げる吊持手段を構成する吊りボルト４１，４５、調節ハンガー４２、野縁受け４３、及びチャンネルクリップ４４と、天井枠材２の長手方向における端部に取り付けられたシステム天井用クリップ５１と、を含んで構成される。さらに図１に示すシステム天井１の長手方向の端部は、見切り材６２が取り付けられた壁部材６１と対向するように配置されている。
【００１７】
システム天井１に用いられる天井枠材２（２Ａ，２Ｂ）は、いわゆるＴバーと呼ばれ、断面が逆Ｔ字状に形成された鋼やアルミニウム合金等からなる部材である。この天井枠材２は、部材の長手方向に沿って直立するウェブ２２と、ウェブ２２の下縁から両側に張り出したフランジ部２１と、ウェブ２２の上縁に形成され、ウェブ２２の上縁から両側に張り出した断面略矩形の頭部３３と、を備えて構成される。この天井枠材２の大きさは、例えば、短手方向（天井枠材２の高さ方向）の幅が４８ｍｍ、フランジ部２１の水平方向の幅が１５ｍｍである。また、天井枠材２の長手方向の長さは、天井の大きさに応じて適宜変更される。
【００１８】
そして、複数本の天井枠材２Ａが壁部材６１と直交するように配置され、この天井枠材２Ａに対して直交するように複数本の天井枠材２Ｂが配置されることによって、例えば一辺が６００ｍｍの略正方形の開口部が構成され、この開口部に天井板３が設けられる。天井板３は、ロックウールやグラスウールを主成分として澱粉等の糊剤等を混合して抄造し板状に加工した板状体や、平面形状が略正方形のパネル等からなり、その下面には、例えば多数の小孔が打ち抜かれた防錆処理鋼板が配置され、その上面（すなわち天井裏側）にはグラスウール等の断熱・吸音材が重ねられた構成を有するものが用いられる。なお、天井板３の大きさは、天井枠材２により構成される開口部の大きさに応じて変更され、その構成は用途に応じて適宜変更される。この天井板３は、天井枠材２Ａと天井枠材２Ｂのフランジ部２１上に載架されることによって、天井枠材２Ａ，２Ｂ間に保持される。
【００１９】
次に、この天井枠材２と天井板３を吊持する吊持手段について説明する。吊持手段は、建築物の天井スラブに埋設されたアンカー等によって垂下される吊りボルト４１と、この吊りボルト４１の下端部に取り付けられた調節ハンガー４２と、この調節ハンガー４２により水平に架設された野縁受け４３と、この野縁受け４３に取り付けられたチャンネルクリップ４４とにより構成される。そして、チャンネルクリップ４４により、天井枠材２Ａが野縁受け４３に直交して複数本架設される。さらに、天井枠材２Ａと直交するように天井枠材２Ｂが建築物の天井面から垂下される吊りボルト４５により保持されることによって、天井枠材２による水平面が形成され、さらにこの天井枠材２（２Ａ，２Ｂ）により構成される開口部に天井板３が架設されることにより、システム天井１の天井面が形成される。
【００２０】
ここで、本発明の特徴をなすシステム天井用クリップ５１の実施形態について説明する。図１及び図２に示すように、システム天井用クリップ５１は、天井枠材２Ａのうち、壁部材６１と対向する端部に取り付けられる略Ｔ字状の鋼からなる部材であり、天井枠材２Ａの長手方向に直交すると共に水平方向に（すなわち、ウェブ２２により構成される面に対して直交する面に沿って）延びる規制部５０１と、ウェブ２２に沿って配置される板状の部材である固定部５０２と、さらに、この固定部５０２に設けられたカシメ部５０３と、を含んで構成される。
【００２１】
規制部５０１は、厚さが０．８〜１．２ｍｍ程度の板状の部材であり、天井枠材２Ａを挟んで対称に配置される。図２に示すように、規制部５０１は、並設する天井枠材２Ａの対向する端部同士を繋ぐ仮想線に沿って固定部５０２から延びる。本実施形態では、規制部５０１が天井枠材２Ａのウェブ２２と同じ高さの水平方向に延びることで、天井枠材２Ａのフランジ部２１の上に架設される天井板３と同じ高さに規制部５０１が配置されることになり、天井板３の角部の側縁を受けることができる。なお、ここでいう天井板３の角部とは、天井板３のうち、天井板３が架設される天井枠材２Ａ近傍の部分である。天井板３の規制部５０１の高さ方向（天井枠材２Ａの短手方向）の幅は、天井板３の厚さにより適宜変更されるが、例えば２５ｍｍである。また、固定部５０２から規制部５０１の端部までの長さは、少なくとも隣接する天井枠材２Ａとの間隔の半分の長さよりも短く、好ましくは、隣接する天井枠材２Ａとの間隔に対して２０％以下であることが好ましく、さらに好ましくは８〜１５％である。本実施形態のように一辺が６００ｍｍの開口部を塞ぐ天井板３の場合、好ましくは１２０ｍｍ以下であり、さらに好ましくは、５０〜７０ｍｍである。固定部５０２から規制部５０１の端部までの長さが１０ｍｍよりも短い場合は、天井枠材２Ａの長手方向の天井板３の移動を十分に規制することができなくなる恐れがある。
【００２２】
固定部５０２は、規制部５０１に接続され、天井枠材２Ａに対してシステム天井用クリップ５１を固定するための部材である。固定部５０２と規制部５０１とは、例えばジョイント等により接続されていてもよいし、溶接等により接続されていてもよい。本実施形態のシステム天井用クリップ５１に係る固定部５０２は、天井枠材２Ａの端部からウェブ２２に沿ってウェブ２２の両側に配置される板状の部材であり、ウェブの長手方向に沿った固定部５０２の長さは例えば１００ｍｍであり、ウェブ２２の短手方向に沿った固定部５０２の長さは、ウェブ２２の幅よりも小さく、固定部５０２の上部には、さらにカシメ部５０３が設けられる。カシメ部５０３は、図２のようにシステム天井用クリップ５１を天井枠材２Ａの端部に取り付けた際に天井枠材２Ａのウェブ２２から離間する方向に屈曲した部材である。システム天井用クリップ５１を天井枠材２Ａに取り付ける際には、カシメ部５０３の屈曲部分を加圧することで、カシメ部５０３が天井枠材２Ａのウェブ２２に圧接され、その上部が頭部２３に対してかしめられることにより、固定部５０２が天井枠材２Ａに対して固定される。このように、本実施形態に係るシステム天井用クリップ５１は、カシメ固定によって天井枠材２Ａに対して固定される。
【００２３】
なお、本実施形態では、天井枠材２Ａの端部にシステム天井用クリップ５１が取り付けられている場合について説明するが、天井枠材２Ａに直交する方向に配置される天井枠材２Ｂの端部にも、天井枠材２Ａと同様にシステム天井用クリップ５１を取り付けることができる。
【００２４】
次に図３及び図４を用いて、本実施形態に係るシステム天井用クリップ５１が取り付けられたシステム天井１の耐震性について説明する。
【００２５】
図３は、定常時におけるシステム天井１を説明する断面図であり、図４は、地震等の振動により、システム天井１が壁から遊離した場合について説明する断面図である。図３に示すように、定常時すなわち地震等による振動が発生していない場合に、システム天井１は、壁部材６１に対してネジ６３によって固定された見切り材６２の端部に、システム天井用クリップ５１が取り付けられたシステム天井１の周端部（天井枠材２Ａの端部）が配置される構成とされる。システム天井１が図３に示す配置となる場合、システム天井１の周端部と壁部材６１との間は離間するが、室内（システム天井１の下部）から見た場合、このシステム天井１の周端部と壁部材６１との間を見切り材６２が覆うため、光が上部に漏れる等の問題は定常時には発生しない。なお、この壁部材６１に取り付けられた見切り材６２は必要に応じて設けられる部材である。
【００２６】
一方、図４に示すように、システム天井１が特に横方向の振動により見切り材６２の上部から遊離した場合には、システム天井１を構成する天井枠材２Ａのフランジ部２１の上面に架設されている天井板３に対して振動の影響を受けて横方向（水平方向）への力が働くため、天井板３が天井枠材２Ａから壁部材６１の方向へ移動するおそれがある。しかしながら、本実施形態に係るシステム天井１では、天井枠材２Ａの端部に取り付けられたシステム天井用クリップ５１の規制部５０１が天井板３の移動を抑制するため、天井板３が定常時の架設位置から移動することが防止される。このため、天井板３が壁部材６１に衝突することによる破損等を防止することができるため、耐震性を向上することができる。
【００２７】
このように、本実施形態に係るシステム天井用クリップ５１及びこれが取り付けられたシステム天井１によれば、水平方向に延びる板状の規制部５０１が、天井枠材２Ａの間に架設された天井板３の動きを規制するため、特に横方向の振動等によって天井枠材２Ａの間の架設位置から壁部材６１の方向に天井板３が移動することを抑制することができ、耐震性を向上させることができる。さらに、上記の構成によれば、天井枠材２Ａ及び天井板３の周囲を天井見切り等で覆うことによって天井板３の移動を抑制する場合と比較して、より少ない材料で耐震性を向上することができ、システム天井全体としての重量の軽減を図ることができる。さらに、上記の構成によれば、システム天井用クリップ５１を天井枠材２Ａの端部にカシメ固定により容易に取り付けることができるため、より少ない作業量によって耐震性の向上を達成するという更なる効果が奏される。
【００２８】
（変形例）
次に、図５及び図６を用いて、本実施形態に係るシステム天井用クリップの変形例について説明する。図５及び図６で示すシステム天井用クリップの変形例は、天井枠材２Ａに対してシステム天井用クリップを固定する固定部の構成が前述のシステム天井用クリップ５１と異なる。以下の説明では、この相違点を中心に説明する。
【００２９】
図５は、ネジ止め固定により天井枠材２Ａに対して固定されるシステム天井用クリップ５２を説明する概略斜視図である。このシステム天井用クリップ５２の固定部５０５は、天井枠材２Ａの端部から長手方向に沿って延び、天井枠材２Ａの頭部２３を覆うように略コの字状に曲げられ、その端部が頭部２３の下部を覆うように曲げられると共に、頭部２３の上部となる位置にネジ５０６を挿入するための貫通孔５０７が設けられている板状の部材からなる。そして、この貫通孔５０７にネジ５０６を挿入して巻き締めることにより、固定部５０５が天井枠材２Ａに対して固定される。このように、本実施形態に係るシステム天井用クリップ５２は、天井枠材２Ａに対してネジ止め固定される態様とすることもできる。
【００３０】
図６は、ビス止め固定により天井枠材２Ａに対して固定されるシステム天井用クリップ５３を説明する概略斜視図である。このシステム天井用クリップ５３の固定部５０８は、天井枠材２Ａの端部から長手方向に沿って延び、天井枠材２Ａの頭部２３を覆うように略コの字状に曲げられると共に、頭部２３の上部となる位置にビス５０９を挿入するための貫通孔５１０が設けられている板状の部材からなる。また、天井枠材２Ａにも貫通孔が設けられ、この貫通孔５１０にビス５０９を挿入してビス止めすることにより、固定部５０８が天井枠材２Ａに対して固定される。このように、本実施形態に係るシステム天井用クリップ５３は、天井枠材２Ａに対してビス止め固定される態様とすることもできる。
【００３１】
なお、システム天井用クリップ５２，５３を天井枠材２Ａに対して取り付ける場合の貫通孔５０７，５１０の位置は適宜変更することができる。また、システム天井用クリップ５２，５３の取り付けに用いられるネジ５０６又はビス５０９の数量を変更することもできる。
【００３２】
図５及び図６に示すシステム天井用クリップ５２，５３においても、図３に示すカシメ止めにより天井枠材２Ａに対して固定されるシステム天井用クリップ５１と同様に、規制部５０１が天井板３の水平方向の移動を抑制することにより耐震性が向上するという効果を有すると共に、少ない材料によってこの耐震性向上を達成することができる。
【００３３】
以上、本発明の好適な実施形態について説明したが、本発明は上記実施形態に限定されるものではなく、種々の変更を行うことができる。例えば、上記実施形態では、天井枠材２が格子状に配置され、この格子状の開口部を塞ぐように天井板を配置するいわゆるグリッドシステム天井であるシステム天井１について説明したが、本発明に係るシステム天井用クリップは、一対の天井枠材が並設され、この一対の天井枠材の間に形成される長方形状の空隙部に複数枚の天井板を架設するいわゆるラインシステム天井に適用することもできる。
【００３４】
また、本発明のシステム天井用クリップ５１〜５３では、規制部５０１が板状である構成について説明したが、規制部５０１の形状は特に限定されず、例えば、円柱状であっても、天井板の側縁を受けて天井板の動きを規制することができる。
【図面の簡単な説明】
【００３５】
【図１】本発明の好適な実施形態に係るシステム天井の一部を示す概略斜視図である。
【図２】本発明の好適な実施形態に係るシステム天井に設けられるシステム天井用クリップの概略斜視図である。
【図３】定常時におけるシステム天井の位置を説明する断面図である。
【図４】振動によりシステム天井が壁から遊離した場合について説明する断面図である。
【図５】本発明の好適な実施形態に係るシステム天井用クリップの変形例（ネジ止め固定）を示す概略斜視図である。
【図６】本発明の好適な実施形態に係るシステム天井用クリップの変形例（ビス止め固定）を示す概略斜視図である。
【符号の説明】
【００３６】
１…システム天井、２（２Ａ，２Ｂ）…天井枠材、３…天井板、５１，５２，５３…システム天井用クリップ、５０１…規制部、５０２…固定部。
【図１】
2010133196.tif 000003
【図２】
2010133196.tif 000004
【図３】
2010133196.tif 000005
【図４】
2010133196.tif 000006
【図５】
2010133196.tif 000007
【図６】
2010133196.tif 000008